(57)【要約】【課題】  面材の対向する一対の表面縁部に縁材を被らせないようにする。【解決手段】面材挿着用空間Ｓを介して対峙する一対の縁材３６，３７を有する取付け具３２と、一対の縁材３６，３７の間へ着脱自在にスライド挿着する面材３３とを備え、対となる縁材３６，３７の内側面及び面材３３の外側面のいずれか一方に挿着用凹溝１０を設けると共に、他方に挿着用凹溝１０と嵌合する挿着用凸条１１を設け、取付け具３２に取り付けられた面材３３の表面縁部３３ｅ，３３ｇを露出させたこと。【選択図】図５
2006161305.tif 000002
【特許請求の範囲】
【請求項１】
面材挿着用空間を介して対峙する一対の縁材を有する取付け具と、一対の縁材の間へ着脱自在にスライド挿着する面材とを備えた面材の取付構造において、対となる前記縁材の内側面及び前記面材の外側面のいずれか一方に挿着用凹溝を設けると共に、他方に該挿着用凹溝と嵌合する挿着用凸条を設け、前記取付け具に取り付けられた前記面材の表面縁部を露出させたことを特徴とする面材の取付構造。
【請求項２】
内側に形成する面材挿着用空間の三辺に沿って延びる各縁材を接合してなる基本縁部、及び面材挿着用空間の残りの一辺に沿って延びる縁材からなる連結縁部を有する取付け具と、基本縁部に案内されて面材挿着用空間へ着脱自在にスライド挿着して連結縁部で覆われる面材とを備えた面材の取付構造において、対となる前記縁材の内側面と前記面材の外側面のいずれか一方に挿着用凹溝を設け、他方に該挿着用凹溝と嵌合する挿着用凸条を設け、前記取付け具に取り付けられた前記面材の四周の表面縁部を露出させたことを特徴とする面材の取付構造。
【請求項３】
前記縁材は、前記面材の対となる外側面の全体を覆うと共に、前記面材の表面側へ突出しない大きさである請求項１又は２に記載の面材の取付構造。
【請求項４】
前記縁材の表側に面する外側面が、前記面材の表面と面一となっている請求項３に記載の面材の取付構造。
【請求項５】
便器洗浄水用タンクの配置側と便器の配置側との境界域に請求項１乃至４のいずれか１項に記載の面材の取付構造を配置し、該境界域の所定位置に前記取付け具を固定配置すると共に、該境界域の外側から前記面材挿着用空間へ該境界域に備える仕切壁となる前記面材を着脱自在にスライド挿着できるようにしたことを特徴とする洗浄水用タンク付き便器の仕切壁構造。
【発明の詳細な説明】
【技術分野】
【０００１】
本発明は、取付け具に対して面材を着脱自在に取り付ける面材の取付構造、及びこの面材の取付構造を用いた洗浄水用タンク付き便器の仕切壁構造に関するものである。
【背景技術】
【０００２】
従来、この面材の取付構造には、図１１に示す如く、取付け具８０の縁材８０ａ〜８０ｄに設けた溝部８１に、面材８２の縁部８２ａを着脱自在に挿着する框組構造が知られている（特許文献１）。
【特許文献１】特開２００２−３０３０８３公報
【発明の開示】
【発明が解決しようとする課題】
【０００３】
しかし、従来の面材の取付構造には、面材８２の表面縁部８２ａに縁材８０ａ〜８０ｄの一部が被り、面材８２の表面を見たときに縁材８０ａ〜８０ｄが強調され過ぎて、面材の見栄えの上で好ましくないことがある。そこで、本発明は、この問題を解決するために、面材の表面縁部に縁材を被らせないようにして、縁材が強調され過ぎないようにできる面材の取付構造を提供することを目的とする。
【課題を解決するための手段】
【０００４】
面材の対向する一対の表面縁部に縁材を被らせないようにするために請求項１記載の本発明が採用した手段は、面材挿着用空間を介して対峙する一対の縁材を有する取付け具と、一対の縁材の間へ着脱自在にスライド挿着する面材とを備えた面材の取付構造において、対となる前記縁材の内側面及び前記面材の外側面のいずれか一方に挿着用凹溝を設けると共に、他方に該挿着用凹溝と嵌合する挿着用凸条を設け、前記取付け具に取り付けられた前記面材の表面縁部を露出させたことを特徴とする面材の取付構造である。
【０００５】
面材の四周の表面縁部に取付け具の縁材を被らせないようにするために請求項２記載の本発明が採用した手段は、内側に形成する面材挿着用空間の三辺に沿って延びる各縁材を接合してなる基本縁部、及び面材挿着用空間の残りの一辺に沿って延びる縁材からなる連結縁部を有する取付け具と、基本縁部に案内されて面材挿着用空間へ着脱自在にスライド挿着して連結縁部で覆われる面材とを備えた面材の取付構造において、対となる前記縁材の内側面と前記面材の外側面のいずれか一方に挿着用凹溝を設け、他方に該挿着用凹溝と嵌合する挿着用凸条を設け、前記取付け具に取り付けられた前記面材の四周の表面縁部を露出させたことを特徴とする面材の取付構造である。
【０００６】
見栄え良くするために請求項３記載の本発明が採用した手段は、前記縁材は、前記面材の対となる外側面の全体を覆うと共に、前記面材の表面側へ突出しない大きさである請求項１又は２に記載の面材の取付構造である。
【０００７】
更に見栄え良くするために請求項４記載の本発明が採用した手段は、前記縁材の表側に面する外側面が、前記面材の表面と面一となっている請求項３に記載の面材の取付構造である。
【０００８】
便器洗浄水用タンクの配置側と便器の配置側との境界を仕切る仕切壁となる面材を着脱自在に取付けるために請求項５記載の本発明が採用した手段は、便器洗浄水用タンクの配置側と便器の配置側との境界域に請求項１乃至４のいずれか１項に記載の面材の取付構造を配置し、該境界域の所定位置に前記取付け具を固定配置すると共に、該境界域の外側から前記面材挿着用空間へ該境界域に備える仕切壁となる前記面材を着脱自在にスライド挿着できるようにしたことを特徴とする洗浄水用タンク付き便器の仕切壁構造である。
【発明の効果】
【０００９】
請求項１記載の本発明に係る面材の取付構造は、一対の縁材の間へ着脱自在にスライド挿着した面材の表面縁部が、取付け具の縁材で覆われることなく露出するため、面材を表面から見たとき縁材が強調され過ぎないようにできる。
【００１０】
請求項２記載の本発明に係る面材の取付構造は、基本縁部へ着脱自在にスライド挿着して連結縁部で覆われる面材の四周の表面縁部が、取付け具の縁材で覆われることなく露出するため、面材を表面から見たとき縁材が強調され過ぎないようにできる。
【００１１】
請求項３記載の本発明に係る面材の取付構造は、面材の外側面を取付け具で覆い見栄え良くできる。
【００１２】
請求項４記載の本発明に係る面材の取付構造は、取付け具の縁材の表側に面する外側面と面材の表面との間で凹凸を無くして見栄え良くできる。
【００１３】
請求項５記載の本発明に係る洗浄水用タンク付き便器の仕切壁構造は、仕切壁板となる面材を着脱自在で且つ見栄え良く配置できる。
【発明を実施するための最良の形態】
【００１４】
本発明に係る（以下、「本発明取付構造」と言う。）を図面に示す実施形態に基づいて説明する。
【００１５】
（第１の実施の形態）
図１乃至図３は本発明取付構造の第１の実施の形態を示すものであり、図１は本発明取付構造１で構成した扉１３を備えた便器用キャビネット１２を示すものであって、（Ａ）は正面図、（Ｂ）は（Ａ）のｂ−ｂ線で断面して便器１５を省略した平面図、（Ｃ）は蝶番１８付近の拡大した平面図である。図２は本発明取付構造１の分解状態であって面材３の一部を破断した斜視図である。図３は本発明取付構造１の組立て状態を中間省略して示し、（Ａ）は縦断面図、（Ｂ）は横断面図である。
【００１６】
本発明取付構造１は、図２及び図３に示す如く、内側に面材挿着用空間Ｓを形成する取付け具２と、取付け具２に着脱自在に取付けられて面材挿着用空間Ｓに配置される面材３を備えている。取付け具２は、面材挿着用空間Ｓの三辺に沿って延びて接合した縁材６，７，８からなる基本縁部４と、面材挿着用空間Ｓの残りの一辺に沿って延びる縁材９からなる連結縁部５とを有している。
【００１７】
前記面材３は、前記取付け具２の各縁材６，７，８，９と対向する各外側面３ａ，３ｂ，３ｃ，３ｄの長手方向全域に挿着用凹溝１０が設けられている。前記取付け具２の各縁材６〜９は、前記面材３の対応する挿着用凹溝１０と対となって嵌合する挿着用凸条１１が各々設けられている。取付け具２に取付けられた面材３は、その表面縁部３ｅ，３ｆ，３ｇ，３ｈ及び各外側面３ａ〜３ｄにおける挿着用凹溝１０より前側（表側）が取付け具２で覆われることなく露出するようにしてある（図３参照）。
【００１８】
前記取付け具２は、その基本縁部４及び連結縁部５が合成樹脂素材又は金属素材等から成形され、各縁材６（７，８，９）が中間の外側片６ａ（７ａ，８ａ，９ａ）の両長手縁から、表側の各挿着用凸条１１及び裏側の補強片６ｂ（７ｂ，８ｂ，９ｂ）を突設して横断面溝状に形成して全体の剛性を大きくすることで、大型又は強度的に弱い面材３を取り付けることができるようにしてある。取付け具２は、基本縁部４と連結縁部５を連結する連結構造１９が必要に応じて設けられている。連結構造１９は、例えば、基本縁部４側の補強片６ｂ，８ｂと連結縁部５側の補強片９ｂの間に設けた係合用凹凸部１９ａ，１９ｂの組合せ、又は補強片６ｂ，８ｂと補強片９ｂを後側（裏側）からビス止めする（図示略）等の構造が適宜選択される。なお、前記取付け具２の各挿着用凸条１１と面材３の凹溝１０の嵌合が無理ばめ状態のときには、基本縁部４と連結縁部５の間の連結構造を省略する場合がある。
【００１９】
前記面材３は、合成樹脂素材、金属素材又は木質素材等から成形した一層、又はこれら複数の素材から各々成形したものを積層した複数層からなり、両面を意匠面としたものや、一方面のみを意匠面としたものが選択される。両面を意匠面とした面材３は、スライド挿着するときの表側となる面を切り替えることにより、二通りに使用できる。一方面のみを意匠面とした複数枚の面材３を準備する場合には、取付け具２に取付ける面材３を変更することで、模様替えすることができる。
【００２０】
本発明取付構造１の組立ては、先ず、取付け具２の基本縁部４の開口部から面材挿着用空間Ｓへ向かって面材３を差し込んで、基本縁部４の挿着用凸条１１，１１に面材３の凹溝１０，１０を案内させつつ面材３を面材挿着用空間Ｓ内にスライド挿着し、面材３の三つの外側面３ａ，３ｂ，３ｃにおける各凹溝１０より後側（裏側）を基本縁部４の縁材６，７，８で覆い、次に、基本縁部４で覆われていない面材３の残りの外側面３ｄの凹溝１０へ連結縁部５の挿着用凸条１１を嵌合させて、外側面３ｄにおける凹溝１０より後側（裏側）を連結縁部５で覆い、最後に、基本縁部４と連結縁部５を連結構造１９で連結する。組立てた本発明取付構造１は、図３に示す如く、取付け具２の各縁材６〜９に設けた各挿着用凸条１１と、面材３の各外側面３ａ〜３ｄに設けた各挿着用凹溝１０とが嵌合して、面材３の表面の各縁部３ｅ〜３ｈが縁材６〜７で覆われることなく露出するため、面材３を表面から見たとき、縁材６〜７は強調され過ぎることがない。更に、本実施の形態の本発明取付構造１にあっては、取付け具２が、面材３の各外側面３ａ〜３ｄにおける挿着用凹溝１０より前側（表側）を覆うことなく、各表面縁部３ｅ〜３ｈより後側（裏側）へ位置しているため、面材３の表面から見え難くなっている。
【００２１】
前記面材３の表面意匠を変更するときには、基本縁部４と連結縁部５を分離して、基本縁部４から面材３を抜き出し、その後に、両面が異なる意匠面となっている面材３の場合には、表側となる面を切り替えて基本縁部４へ再度スライド挿着し、また、一方の面にのみ意匠面を施した面材３の場合には、異なる意匠の施された面材を基本縁部４へスライド挿着し、最後に、基本縁部４に連結縁部５を連結して作業を完了する。
【００２２】
本発明取付構造１は、図１に示す便器用キャビネット１２等に備える扉１３を構成することができる。便器用キャビネット１２は、便器洗浄水用タンク１４の配置側と便器１５の配置側との境界を仕切るものであって、左右の側面板１６，１６に前面板１７Ａ，１７Ｂ，１７Ｃを連結して便器洗浄水用タンク１４を格納するタンク格納空間Ａを形成し、手前両側に蝶番１８を介して各扉１３を取付けて収納空間Ｂを開閉できるようにしてある。各扉１３は、図２及び図３に示す取付け具２の基本縁部４に蝶番１８が取付けられ、蝶番１８と反対側となる揺動側に連結縁部５を配置することで、蝶番１８を取り外すことなく面材３の交換が簡単にできるようになっている。
【００２３】
（第２の実施の形態）
図４は本発明取付構造の第２の実施の形態を示すものであり、（Ａ）は本発明取付構造２１を分解した状態であって各構成部材の中間を省略した正面図、（Ｂ）は組立てた本発明取付構造２１の中間省略した横断面図、（Ｃ）は組立てた本発明取付構造２１の中間省略した縦断面図である。
【００２４】
本発明取付構造２１が前記第１の実施の形態に係る本発明取付構造１（図１〜図３参照）と大きく相違する点は、取付け具２２の基本縁部２４及び連結縁部２５を形成する縁材６，７，８，９を、外側片６ａ，７ａ，８ａ，９ａの中央から面材挿着用空間Ｓへ向かって各挿着用凸条１１を突設して形成したことであり、その他の点は本発明取付構造１と実質的に同一であり、図４に付した前記第１の実施の形態と同一の符号は同一の内容を示す。
【００２５】
前記取付け具２２の縁材６（７，８，９）は、面材３の対となる外側面３ａ（３ｂ，３ｃ，３ｄ）の全体を覆って見栄え良くすると共に、外側片６ａ，７ａ，８ａ，９ａの幅寸法Ｗ（同図（Ｂ）参照）を面材３の厚み寸法と同一にして面材３の表面側へ突出させないようにすることで、面材３を表面から見たとき強調され過ぎないようにしてある。更に、取付け具２２の縁材６（７，８，９）は、表側に面する外側面６ｄ（７ｄ，８ｄ，９ｄ）が面材３の表面と面一となるようにし、面材３の表面との間で凹凸を無くして見栄え良くしてある。
【００２６】
本発明取付構造２１は、取付け具２２の基本縁部２４に蝶番１８（図１参照）を取付ける等して扉に適用することもできる。
【００２７】
（第３の実施の形態）
図５は本発明取付構造の第３の実施の形態を示すものであり、（Ａ）は本発明取付構造３１の構成部材を分離した状態であって面材３３の一部を破断した斜視図、（Ｂ）組立てた本発明取付構造３１の中間省略した縦断面図である。
【００２８】
本発明取付構造３１は、面材挿着用空間Ｓを介して対峙する一対の縁材３６，３７を有する取付け具３２と、一対の縁材３６，３７の間へ着脱自在にスライド挿着する面材３３を備えている。面材３３は、前記取付け具３２の各縁材３６，３７と対向する外側面３３ａ，３３ｃの各々に長手方向全域に挿着用凹溝１０が設けられている。前記取付け具３２の縁材３６，３７には、前記面材３３の各挿着用凹溝１０と対となって嵌合する挿着用凸条１１が設けられている。取付け具３２に取り付けられた面材３３は、その表面縁部３３ｅ，３３ｇ及び各外側面３３ａ，３３ｃにおける挿着用凹溝１０より前側（表側）が取付け具３２で覆われることなく露出するようになっている。
【００２９】
前記取付け具３２は、合成樹脂素材又は金属素材等から成形され、各縁材３６（３７）が中間の外側片３６ａ（３７ａ）の両長手縁に、表側の挿着用凸条１１（１１）及び裏側の補強片３６ｂ（３７ｂ）を連接した横断面溝状に形成して全体の剛性を大きし、大型又は強度的に弱い面材３３を取り付けることができるようにしてある。更に、取付け具３２は、縁材３６，３７どうしを連結するために、裏側の補強片３６ｂ，３７ｂどうしを延長３２ａして一体形成するか、又は裏側の補強片３６ｂ，３７ｂどうしを別体の帯板等の連結片等（図示略）で連結してある。
【００３０】
前記面材３３は、前記第１の実施の形態の面材３と同様に、合成樹脂素材、金属素材又は木質素材等から成形した一層、又はこれら複数の素材から各々成形したものを積層した複数層からなり、両面を意匠面としたものや、一方面のみを意匠面としたものが選択される。両面を意匠面とした面材３３は、スライド挿着するときの表側となる面を切り替えることにより、二通りに使用できる。一方面のみを意匠面とした複数枚の面材３３を準備する場合には、取付け具３２に取付ける面材３３を変更することで、模様替えすることができる。
【００３１】
本発明取付構造３１は、取付け具３２にスライド挿着した面材３３が移動しなようにするために、連結手段３５が必要に応じて設けられている。連結手段３５としては、例えば、取付け具３２の縁材３６，３７の外側片３６ａ，３７ａ側から面材３３へ螺着したビス、又は面材３３の凹溝１０と取付け具３２の縁材３６，３７の各挿着用凸条１１との間に打ち込む係止用楔（図示略）等が適宜採用される。なお、前記取付け具３２の各挿着用凸条１１と面材３３の凹溝１０の嵌合が無理ばめ状態のときには、上記連結手段３５を省略する場合がある。
【００３２】
本発明取付構造３１の組立ては、取付け具３２の開口部から面材挿着用空間Ｓへ向かって面材３３を差し込んで、取付け具３２の挿着用凸条１１，１１に面材３３の凹溝１０，１０を案内させつつ面材３３を面材挿着用空間Ｓ内にスライド挿着し、面材３３の外側面３３ａ，３３ｃにおける各凹溝１０より後側（裏側）を縁材３６，３７で覆う。組立てた本発明取付構造３１は、取付け具３２の各縁材３６，３７に設けた挿着用凸条１１，１１に、面材３３の各側面３３ａ，３３ｃに設けた挿着用凹溝１０が嵌合して、面材３３の表面の各縁部３３ｅ，３３ｇが縁材３６，３７で覆われることなく露出するため、面材３３を表面から見たとき縁材３６，３７が強調され過ぎることがない。更に、本実施の形態にあっては、取付け具３２が、面材３３の各外側面３３ａ，３３ｃにおける挿着用凹溝１０より前側（表側）を覆うことなく、各表面縁部３３ｅ，３３ｇより後側（裏側）へ位置しているため、面材３３の表面から見え難くなっている。
【００３３】
前記面材３３の表面意匠を変更するときには、取付け具３２から面材３３を抜き出し、その後に、両面が異なる意匠面となっている面材３３の場合には、表側となる面を切り替えて取付け具３２へ再度スライド挿着し、また、一方の面にのみ意匠面を施した面材３３の場合には、異なる意匠の施された面材を取付け具３２へスライド挿着する。
【００３４】
本発明取付構造３１は、取付け具３２に蝶番１８（図１参照）を取付ける等して扉に適用することもできる。
【００３５】
（第４の実施の形態）
図６は本発明取付構造の第４の実施の形態を示すものであり、（Ａ）は本発明取付構造４１を分解した状態であって各構成部材の中間を省略した正面図、（Ｂ）は組立てた本発明取付構造４１の中間省略した横断面図、（Ｃ）は組立てた本発明取付構造４１の中間省略した縦断面図である。
【００３６】
本発明取付構造４１が前記第２の実施の形態に係る本発明取付構造２１（図４参照）と大きく相違する点は、取付け具４２の基本縁部４４及び連結縁部４５を形成する縁材４６，４７，４８，４９に挿着用凹溝１０を設けると共に、面材４３の外側面４３ａ，４３ｂ，４３ｃ，４３ｄに各挿着用凸条１１を突設したことである。取付け具４２に設けた各挿着用凹溝１０は、各縁材４６〜４９の面材挿着用空間Ｓに面する内側の中央に、各縁材４６〜４９の長手方向に沿って延びている。面材４３に設けた各挿着用凸条１１は、面材４３の各外側面４３ａ〜４３ｄの中央に、各外側面４３ａ〜４３ｄの長手方向に沿って延びている。
【００３７】
前記取付け具４２の縁材４６（４７，４８，４９）は、面材４３の対となる外側面４３ａ（４３ｂ，４３ｃ，４３ｄ）の全体を覆って見栄え良くすると共に、幅寸法Ｗを面材４３の厚み寸法と同一にして面材３３の表面側へ突出させないようにすることで、面材４３を表面から見たとき強調され過ぎないようにしてある。取付け具４２に取付けられた面材４３は、その表面縁部４３ｅ，４３ｆ，４３ｇ，４３ｈが取付け具４２で覆われることなく露出する。また、取付け具４２の縁材４６（４７，４８，４９）は、表側に面する外側面４６ｄ（４７ｄ，４８ｄ，４９ｄ）が面材４３の表面と面一となるようにし、面材４３の表面との間で凹凸を無くして見栄え良くしてある。
【００３８】
本発明取付構造４１の組立ては、先ず、取付け具４２の基本縁部４４の開口部から面材挿着用空間Ｓへ向かって面材４３を差し込んで、基本縁部４４の凹溝１０，１０に面材４３の挿着用凸条１１，１１を案内させつつ面材４３を面材挿着用空間Ｓ内にスライド挿着し、面材４３の三つの外側面４３ａ，４３ｂ，４３ｃを基本縁部４４の縁材４６，４７，４８で覆い、次に、基本縁部４４で覆われていない面材４３の残りの外側面４３ｄの挿着用凸条１１へ連結縁部４５の凹溝１０を嵌合させて外側面４３ｄを連結縁部４５で覆い、最後に、必要に応じて基本縁部４４と連結縁部４５をビス止め等の連結手段（図示略）で連結する。
【００３９】
前記面材４３の表面意匠を変更するときには、基本縁部４４と連結縁部４５を分離して、基本縁部４４から面材４３を抜き出し、その後に、両面が異なる意匠面となっている面材４３の場合には、表側となる面を切り替えて基本縁部４４へ再度スライド挿着し、また、一方の面にのみ意匠面を施した面材４３の場合には、異なる意匠の施された面材を基本縁部４４へスライド挿着し、最後に、基本縁部４４に連結縁部４５を連結して作業を完了する。
【００４０】
本発明取付構造４１は、取付け具４２に蝶番１８（図１参照）を取付ける等して扉に適用することもできる。
【００４１】
（第５の実施の形態）
図７は本発明取付構造の第５の実施の形態を示すものであり、（Ａ）は組立てた本発明取付構造５１の中間省略した縦断面図、（Ｂ）は組立てた本発明取付構造の中間省略した横断面図である。
【００４２】
本発明取付構造５１が前記第１の実施の形態に係る本発明取付構造１（図１〜図３参照）と大きく相違する点は、取付け具５２の基本縁部５４及び連結縁部５５を形成する縁材４６，４７，４８，４９に挿着用凹溝１０を設けると共に、面材４３の外側面４３ａ，４３ｂ，４３ｃ，４３ｄに各挿着用凸条１１を突設したことである。面材４３に設けた各挿着用凸条１１は、面材４３の各外側面４３ａ〜４３ｄの中央に、各外側面４３ａ〜４３ｄの長手方向に沿って延びている。
【００４３】
前記取付け具５２に設けた各挿着用凹溝１０は、各縁材４６〜４９の面材挿着用空間Ｓに面する内側に、各縁材４６〜４９の長手方向に沿って延びている。各縁材４６，４７，４８，４９は、外側片４６ａ（４７ａ，４８ａ，４９ａ）の両長手縁から、表側片４６ｃ（４７ｃ，４８ｃ，４９ｃ）及び裏側片４６ｂ（４７ｂ，４８ｂ，４９ｂ）を突設して挿着用凹溝１０を形成し、表側片４６ｃ（４７ｃ，４８ｃ，４９ｃ）及び裏側片４６ｂ（４７ｂ，４８ｂ，４９ｂ）で、取付け具５２に取付けた面材４３の挿着用凸条１１と裏面４３ｊの周縁を挟むように形成してある。また、取付け具５２の縁材４６（４７，４８，４９）は、表側に面する外側面４６ｄ（４７ｄ，４８ｄ，４９ｄ）が面材４３の表面と面一となるようにし、面材４３の表面との間で凹凸を無くして見栄え良くしてある。
【００４４】
本発明取付構造５１の組立ては、先ず、取付け具５２の基本縁部５４の開口部から面材挿着用空間Ｓへ向かって面材４３を差し込んで、基本縁部５４の凹溝１０，１０に面材４３の挿着用凸条１１，１１を案内させつつ面材４３を面材挿着用空間Ｓ内にスライド挿着し、面材４３の三つの外側面４３ａ，４３ｂ，４３ｃを基本縁部４４の縁材４６，４７，４８で覆い、次に、基本縁部５４で覆われていない面材４３の残りの外側面４３ｄの挿着用凸条１１へ連結縁部５５の凹溝１０を嵌合させて外側面４３ｄを連結縁部５５で覆うと共に、基本縁部５４と連結縁部５５を連結構造１９（第１の実施の形態参照）で連結する。
【００４５】
前記面材４３の表面意匠を変更するときには、基本縁部５４と連結縁部５５を分離して、基本縁部５４から面材４３を抜き出し、その後に、両面が異なる意匠面となっている面材４３の場合には、表側となる面を切り替えて基本縁部５４へ再度スライド挿着し、また、一方の面にのみ意匠面を施した面材４３の場合には、異なる意匠の施された面材を基本縁部５４へスライド挿着し、最後に、基本縁部５４に連結縁部５５を連結構造１９で連結して作業を完了する。
【００４６】
本発明取付構造５１は、取付け具５２の基本縁部５４に蝶番１８（図１参照）を取付ける等して扉に適用することもできる。
【００４７】
（第６の実施の形態）
図８は本発明取付構造の第６の実施の形態を示すものであり、（Ａ）は本発明取付構造６１を分解した状態であって縁材６６，６７の一部を破断した斜視図、（Ｂ）組立てた本発明取付構造６１の中間省略した縦断面図である。
【００４８】
本発明取付構造６１が前記第３の実施の形態に係る本発明取付構造３１（図５参照）と大きく相違する点は、取付け具６２が有する一対の縁材６６，６７に挿着用凹溝１０を設けると共に、面材６３の縁材６６，６７と対向する外側面に挿着用凸条１１を設けた点である。取付け具６２に設けた各挿着用凹溝１０は、各縁材６６，６７の面材挿着用空間Ｓに面する内側の中央に、各縁材６６，６７の長手方向に沿って延びている。面材６３に設けた各挿着用凸条１１は、面材６３の各外側面の中央に、各外側面の長手方向に沿って延びている。本発明取付構造６１は、取付け具３２の縁材６６，６７の間へ面材６３をスライド挿着したとき、面材６３の表面縁部６３ｅ，６３ｇが取付け具６２で覆われることなく露出するようになっている。
【００４９】
前記取付け具６２は、合成樹脂素材又は金属素材等から成形され、両縁材６６，６７を板状等の連結材６８で連結してある。前記面材６３は、前記第１の実施の形態の面材３と同様に、合成樹脂素材、金属素材又は木質素材等から成形した一層、又はこれら複数の素材から各々成形したものを積層した複数層からなり、両面を意匠面としたものや、一方面のみを意匠面としたものが選択される。両面を意匠面とした面材６３は、スライド挿着するときの表側となる面を切り替えることにより、二通りに使用できる。一方面のみを意匠面とした複数枚の面材６３を準備する場合には、取付け具６２に取付ける面材６３を変更することで、模様替えすることができる。また、取付け具６２の両縁材６６，６７は、表側に面する外側面６６ｄ，６７ｄが面材６３の表面と面一となるようにし、面材６３の表面との間で凹凸を無くして見栄え良くしてある。
【００５０】
本発明取付構造６１の組立ては、先ず、取付け具６２の開口部から面材挿着用空間Ｓへ向かって面材６３を差し込んで、取付け具６２の凹溝１０，１０に面材６３の挿着用凸条１１，１１を案内させつつ面材６３を面材挿着用空間Ｓ内にスライド挿着し、面材６３の外側面を縁材６６，６７で覆い、次に、取付け具６２と面材６３を連結手段３５で連結する。
【００５１】
前記面材６３の表面意匠を変更するときには、取付け具６２から面材６３を抜き出し、その後に、両面が異なる意匠面となっている面材６３の場合には、表側となる面を切り替えて取付け具６２へ再度スライド挿着し、また、一方の面にのみ意匠面を施した面材６３の場合には、異なる意匠の施された面材を取付け具６２へスライド挿着する。
【００５２】
本発明取付構造６１は、取付け具６２に蝶番１８（図１参照）を取付ける等して扉に適用することもできる。
【００５３】
（第７の実施の形態）
図９〜図１０は本発明取付構造の第７の実施の形態を洗浄水用タンク付き便器の仕切壁構造（以下、「本発明仕切壁構造」という）に適用したものを示すものである。図９は組立て後の状態を示すものであり、（Ａ）は正面図、（Ｂ）は（Ａ）のｂ−ｂ線で断面して便器を省略した平面図である。図１０は、面材３を分離した状態を示す正面図である。
【００５４】
本実施の形態に係る本発明仕切壁構造７１，７２，７３は、便器洗浄水用タンク１４の配置側Ａと便器１５の配置側Ｃとの境界域を仕切るものあであって、前記第３の実施の形態の本発明取付構造３１（図５）を適用したものである。
【００５５】
本発明仕切壁構造７１は、図１０に示す如く、境界域の所定位置に配置した取付け具３２の縁材３６，３７が左右に位置するように、便器用キャビネットの左右の側面板１６，１６に取付け具３２をビス止め等で取付け、仕切壁板（一般に、前板と言われている。）となる面材３３を上方から取付け具３２の面材挿着用空間Ｓ内にスライド挿着できるようにしてある。
【００５６】
本発明仕切壁構造７２，７３は、境界域の所定位置に配置した取付け具３２の縁材３６，３７が上下に位置するように、便器用キャビネットの左右の側面板１６，１６の一方にに取付け具３２をビス止め等で取付け、仕切壁板となる面材３３を左右の一方から取付け具３２の面材挿着用空間Ｓ内にスライド挿着する。なお、取付け具３２の面材挿着用空間Ｓへ面材３３をスライド挿着するときに扉１３が邪魔なときには、扉１３を一旦取り外して作業を行うとよい。
【００５７】
前記本発明仕切壁構造７１〜７３は、取付け具３２及び面材３３を、便器１５に近接する部分を便器１５の外側面形状に倣うように形成することで、便器１５との間に大きな隙間を形成せさないようにして見栄え良くできる。
【００５８】
前記本発明仕切壁構造７１〜７３は、前記第３の実施の形態の本発明取付構造３１（図５）を用いることなく、図示は省略したが、前記第６の実施の形態の本発明取付構造６１（図８）を適用することも勿論可能である。この場合には、境界域の所定位置に配置した取付け具６２の縁材６６，６７を便器用キャビネットの左右の側面板１６，１６にビス止め等で取付け、仕切壁板となる面材６３を取付け具６２の面材挿着用空間Ｓ内にスライド挿着できるようにするとよい。
【００５９】
また、本発明仕切壁構造７１〜７３は、図示は省略したが、前記第１の実施の形態の本発明取付構造１（図２）、前記第２の実施の形態の本発明取付構造２１（図４）、前記第４の実施の形態の本発明取付構造４１（図６）又は前記第５の実施の形態の本発明取付構造５１（図７）を適用することも勿論可能である。この場合には、境界域の所定位置に配置した取付け具２（２２，４２又は５２）の基本縁部４（２４，４４又は５４）の縁材を便器用キャビネットの左右の側面板１６，１６にビス止め等で取付け、取付け具２（２２，４２又は５２）の面材挿着用空間Ｓ内に仕切壁板となる面材３（又は４３）をスライド挿着し、基本縁部４（２４，４４又は５４）に連結縁部５（２５，４５又は５５）を連結できるようにするとよい。取付け具２（２２，４２又は５２）の基本縁部４（２４，４４又は５４）を形成する縁材及び面材３（又は４３）は、便器１５に近接する部分が、便器１５の外側面形状に倣うように形成される。
【図面の簡単な説明】
【００６０】
【図１】本発明取付構造の第１の実施の形態を示すものであり、（Ａ）は本発明取付構造で構成した扉を備えた便器用キャビネットの正面図、（Ｂ）は（Ａ）のｂ−ｂ線で断面して便器を省略した平面図、（Ｃ）は蝶番付近の拡大した平面図である。
【図２】同実施の形態に係る本発明取付構造の分解状態であって面材の一部を破断した斜視図である。
【図３】同実施の形態に係る本発明取付構造の組立て状態を中間省略して示し、（Ａ）は縦断面図、（Ｂ）は横断面図である。
【図４】本発明取付構造の第２の実施の形態を示すものであり、（Ａ）は本発明取付構造を分解した状態であって構成部材の中間を省略した正面図、（Ｂ）は組立てた本発明取付構造の中間省略した横断面図、（Ｃ）は組立てた本発明取付構造の中間省略した縦断面図である。
【図５】本発明取付構造の第３の実施の形態を示すものであり、（Ａ）は本発明取付構造を分解した状態であって面材の一部を破断した斜視図、（Ｂ）組立てた本発明取付構造の中間省略した縦断面図である。
【図６】本発明取付構造の第４の実施の形態を示すものであり、（Ａ）は本発明取付構造を分解した状態であって各構成部材の中間を省略した正面図、（Ｂ）は組立てた本発明取付構造の中間省略した横断面図、（Ｃ）は組立てた本発明取付構造の中間省略した縦断面図である。
【図７】本発明取付構造の第５の実施の形態を示すものであり、（Ａ）は組立てた本発明取付構造の中間省略した縦断面図、（Ｂ）は組立てた本発明取付構造の中間省略した横断面図である。
【図８】本発明取付構造の第６の実施の形態を示すものであり、（Ａ）は本発明取付構造を分解した状態であって縁材の一部を破断した斜視図、（Ｂ）組立てた本発明取付構造の中間省略した縦断面図である。
【図９】本発明取付構造の第７の実施の形態を適用した洗浄水用タンク付き便器の仕切壁構造の組立て後の状態を示すものであり、（Ａ）は正面図、（Ｂ）は（Ａ）のｂ−ｂ線で断面して便器を省略した平面図、（Ｃ）は蝶番付近の拡大した平面図である。
【図１０】同実施の形態において、面材を分離した状態を示す正面図である。
【図１１】従来の面材の取付構造を示すものであつて、（Ａ）は分解した状態の斜視図、（Ｂ）は組立てた状態の横断面図である。
【符号の説明】
【００６１】
１…本発明取付構造、２…取付け具、３…面材、３ａ，３ｂ，３ｃ，３ｄ…外側面、３ｅ，３ｆ，３ｇ，３ｈ…表面縁部、４…基本縁部、５…連結縁部、６，７，８，９…縁材、６ｂ，７ｂ，８ｂ，９ｂ…補強片、１０…挿着用凹溝、１１…挿着用凸条、１２…便器用キャビネット、１３…扉、１８…蝶番、１９…連結構造、１９ａ，１９ｂ…係合用凹凸部、２１…本発明取付構造、２２…取付け具、２４…基本縁部、２５…連結縁部、３１…本発明取付構造、３２…取付け具、３２ａ…延長、３３…面材、３３ａ，３３ｃ…外側面、３３ｅ，３３ｇ…表面縁部、３５…連結手段、３６，３７…縁材、３６ａ，３７ａ…外側片、３６ｂ，３７ｂ…補強片、４１…本発明取付構造、４２…取付け具、４３…面材、４３ａ，４３ｂ，４３ｃ，４３ｄ…外側面、４３ｅ，４３ｆ，４３ｇ，４３ｈ…表面縁部、４４…基本縁部、４５…連結縁部、４６，４７，４８，４９…縁材、５１…本発明取付構造、５２…取付け具、５４…基本縁部、５５…連結縁部、６１…本発明取付構造、６２…取付け具、６３…面材、６３ｅ，６３ｇ…表面縁部、６６，６７…縁材、７１，７２，７３…本発明仕切壁構造、Ａ…配置側、Ｂ…収納空間、Ｃ…配置側、Ｓ…面材挿着用空間、Ｗ…幅寸法
【図１】
2006161305.tif 000003
【図２】
2006161305.tif 000004
【図３】
2006161305.tif 000005
【図４】
2006161305.tif 000006
【図５】
2006161305.tif 000007
【図６】
2006161305.tif 000008
【図７】
2006161305.tif 000009
【図８】
2006161305.tif 000010
【図９】
2006161305.tif 000011
【図１０】
2006161305.tif 000012
【図１１】
2006161305.tif 000013